(57)【要約】【課題】道路や公園などの平地はもとより傾斜地に対しても適用し得るとともに、外観の良いパイプフェンスを提供する。【解決手段】立設した支柱に金具を介在させて上下の枠パイプを取付けてなるパイプフェンスにおいて、上下の枠パイプ５、６には対向管壁面に所定間隔に角穴８が設けられ、縦パイプ７の管端部には前記角穴８に挿入可能な角パイプ１２が設けられ、その角パイプ１２の角穴８への挿入側端部には管軸に交差して貫通孔１３が設けられ、角パイプ１２が角穴８に遊挿された後に上下の枠パイプ５、６の管端部よりそれら貫通孔１３に連通させて係止棒３を挿通させ上下の枠パイプ５、６間に縦パイプ７を連結してなる。【選択図】        図１
2004360372.tif 000002
【特許請求の範囲】
【請求項１】
立設した支柱に金具を介在させて上下の枠パイプを取付けてなるパイプフェンスにおいて、上下の枠パイプには対向管壁面に所定間隔に角穴が設けられ、縦パイプの管端部には前記角穴に挿入可能な角パイプが設けられ、その角パイプの角穴への挿入側端部には管軸に交差して貫通孔が設けられ、角パイプが角穴に遊挿された後に上下の枠パイプの管端部よりそれら貫通孔に連通させて係止棒を挿通させ上下の枠パイプ間に縦パイプを連結してなることを特徴とするパイプフェンス。
【請求項２】
縦パイプが、上下の枠パイプの角穴に挿入可能な１本の角パイプで形成されてなる請求項１に記載のパイプフェンス。
【請求項３】
係止棒が、その一端部に角パイプの貫通孔に挿入可能な屈曲部を有する請求項１又は２に記載のパイプフェンス。
【請求項４】
上下の枠パイプの角穴に樹脂製スペーサを介して縦パイプの管端部の角パイプを遊挿してなる請求項１〜３のいずれかに記載のパイプフェンス。
【発明の詳細な説明】
【０００１】
【発明の属する技術分野】
本発明は、パイプフェンスに関し、詳細には、道路と歩道の間や車道の中央分離帯などに設置されるガードフェンス、あるいは公園などの境界柵などとしても好適に使用し得るパイプフェンスに関するものである。
【０００２】
【従来の技術及び発明が解決しようとする課題】
道路と歩道の間などに設置されるガードフェンスや公園などの境界柵などとして、従来より使用されているフェンスは、通常、図７に示すように、上下の枠部材３１、３２と左右端の枠部材３３、３４及びその中間に所定間隔で設けられている中間の縦部材３５とは溶接により固定されている。このように固定して製作されるため、平地に適用する場合には、フェンスを予め長方形状に製作しておくことができ、フェンスの施工も迅速にできる。
【０００３】
しかしながら、上記構成のフェンスを傾斜地に適用する場合には、その都度、傾斜地に沿わせた平行四辺形状に製作するか、予め傾斜地に適用できるように傾斜地の勾配を予測して数度刻みで製作するなどの対応が必要となる。しかし、後者の数度刻みで製作しておく場合でも、多用される勾配、殆ど使用されない勾配などの予測が難しく、在庫管理が大変である上に、結局新たに製作することが多く、施工期日が長くなるなどの問題がある。
【０００４】
一方、上下の枠部材と左右端の枠部材及び縦部材との交差部にボルト挿通孔を設け、ボルト・ナットにより連結してフェンスを構成することも考えられるが、この構成では、傾斜地への適用は可能であるものの、施工した場合にボルト・ナットが見え外観が悪い。特に良好な景観が望まれるところへの適用には不向きである。
【０００５】
【発明が解決しようとする課題】
本発明は、上記の問題点を解消するためになしたものであって、その目的は、道路や公園などの平地はもとより傾斜地に対しても適用し得るとともに、外観の良いパイプフェンスを提供するものである。
【０００６】
【課題を解決するための手段】
上記の目的を達成するために、本発明（請求項１）に係るパイプフェンスは、立設した支柱に金具を介在させて上下の枠パイプを取付けてなるパイプフェンスにおいて、上下の枠パイプには対向管壁面に所定間隔に角穴が設けられ、縦パイプの管端部には前記角穴に挿入可能な角パイプが設けられ、その角パイプの角穴への挿入側端部には管軸に交差して貫通孔が設けられ、角パイプが角穴に遊挿された後に上下の枠パイプの管端部よりそれら貫通孔に連通させて係止棒を挿通させ上下の枠パイプ間に縦パイプを連結してなるものである。
【０００７】
上記構成では、上下の枠パイプと縦パイプとは、縦パイプの管端部に設けた角パイプを、上下の枠パイプの管壁に所定間隔で設けられている角穴内に遊挿するとともに、その遊挿した角パイプに形成されている貫通孔に係止棒を挿通させて抜け止め、連結されているので、角穴内に遊挿された遊びの範囲内で、平地から十数％の勾配の傾斜地に対して適用することができるとともに、上下の枠パイプと縦パイプとの連結部分にはボルト・ナットなどの突起もなく外観が良い。
【０００８】
そして、上記パイプフェンスにおいては、縦パイプが、上下の枠パイプの角穴に挿入可能な１本の角パイプで形成されてあってもよい（請求項２）。このように構成しても上記の作用効果を享受することができる。
【０００９】
また、特に限定するものではないが、係止棒は、その一端部に角パイプの貫通孔に挿入可能な屈曲部を有することが好ましい（請求項３）。このような係止棒であれば、縦パイプの角パイプが上下の枠パイプの角穴に遊挿された後に上下の枠パイプの管端部より貫通孔に連通させて係止棒を挿通させ、屈曲部を貫通孔に挿入することによって、特段の抜け止め手段を講じることなく、貫通孔からの抜け止めを図ることができる。
【００１０】
また、特に限定するものではないが、上下の枠パイプの角穴に樹脂製スペーサを介して縦パイプの管端部の角パイプを遊挿することが好ましい（請求項４）。このように樹脂製スペーサを介して遊挿することにより、枠パイプ、縦パイプ、係止棒が金属製である場合に係合部で発生する金属音を抑制することができる。従って、樹脂製スペーサの形状としては、短尺な角パイプの一端には枠パイプの外表面形状に沿う形状のフランジを設け、角パイプ本体には係止棒を挿通する貫通孔を縦パイプの角パイプに形成した係止棒を挿通する貫通孔より小径に形成することが好ましい。
【００１１】
【発明の実施の形態】
以下、本発明の実施形態を図面に基づいて説明する。図１は、本発明に係るパイプフェンスの説明図であって、ａは正面図、ｂはａの側面図、ｃはａのＡ部拡大断面図である。図において、１は支柱、２はパイプフェンス、３は係止棒、４は支柱１にパイプフェンス２を取付けるための取付金具である。
【００１２】
支柱１は、丸パイプであって、通常、施工現場において、所定の間隔で地面Ｇに鉛直に立設され、その側面には取付金具４を介してパイプフェンス２が取りつけられている。なお、支柱１は、丸パイプを例としたが、支柱としての機能を果たすものであればその形状は特に限定するものではなく、例えば、中実の棒材や四角形の角パイプであってもよい。
【００１３】
パイプフェンス２は、上下の枠パイプ５、６と、この上下の枠パイプ５、６の間に所定間隔で設けられた縦パイプ７とで構成されている。上枠パイプ５と下枠パイプ６は、同寸法、同形状のパイプ材であって、図２に示すように、所定間隔で角穴８が形成されている。なお、符号９で示す長孔は、ボルト１０によって取付金具４に取付けるための長孔である。
【００１４】
縦パイプ７は、図３に示すように、本体部１１が丸パイプでその両管端部に、絞り加工又は溶接などにより角パイプ１２が一体に設けられている。角パイプ１２には管軸に直交させて貫通孔１３が開けられており、本体部１１の両管端部に設けられた角パイプ１２の貫通孔１３は同方向を向くように形成されている。また、角パイプ１２は上記角穴８に遊挿可能な寸法である。なお、本例では、縦パイプ７を本体部１１とその両管端部に設けた角パイプ１２とで構成した例としたが、本体部１１を角パイプ１２と同断面形状、同寸法の角パイプとし縦パイプ７を一本の角パイプ１２で構成してもよいし、断面形状の大きい角パイプを用いてもよい。
【００１５】
係止棒３は、合成樹脂あるいは金属などの棒材であって、図４に示すように、上記貫通孔１３への挿通側の先端はテーパー状に面取り１４が施され、また反対側の端部には屈曲部１５が形成されている。この係止棒３は、支柱１の間隔が長く、上下の枠パイプ５、６の長さが長く、枠パイプ５、６の一端から挿入したのでは撓みが生じる懸念のある場合には、半分の長さとして枠パイプ５、６の両管端より挿入される。
【００１６】
取付金具４は、本体部１６とその両端の挿入部１７とで構成され、本体部１６は支柱１の側面にボルト１８によって固定され、挿入部１７には、枠パイプ５、６の管端が挿入されボルト１０によって固定される。なお、この取付金具４の好ましい形態としては本出願人が先に特願２００３−６００１９号に提案の防護柵のビームパイプ取付け用金具が好適に使用できる。
【００１７】
上記構成のパイプフェンス２は次のようにして組立てられる。すなわち、上枠パイプ５と下枠パイプ６のそれぞれに開けられている角穴８に縦パイプ７の角パイプ１２を遊挿する。この遊挿の際に予め角パイプ７に開けられている貫通孔１３が上下の枠パイプ５、６の管軸と平行になるように遊挿する。この後、上下の枠パイプ５、６に遊挿された管内の角パイプ７の貫通孔１３に管端部より係止棒３を順番に挿し通し、最後に管端部に位置する縦パイプ７の角パイプ１２の貫通孔１３に屈曲部１５を押し通して、係止棒３の貫通孔１３あるいは上下の枠パイプ５、６からの抜け止めを図ることで組立てられる。なお、本例のものは、支柱１の間隔が長く、上下の枠パイプ５、６の長さが長いため、係止棒３を上下の枠パイプ５、６に対してそれぞれ両管端より挿入した例である。
【００１８】
上記のようにして組立てられたパイプフェンス２は、上下の枠パイプ５、６のそれぞれの管端部に取付金具４を構成する金具片の挿入部１７を挿入し、支柱１の側面に金具片を組合わせることで、取付金具４を介して取付けられる。
【００１９】
上記のように組立てられたパイプフェンス２によれば、上下の枠パイプ５、６の角穴８に縦パイプ７の角パイプ１２を遊挿した遊びの範囲内で、平地はもとより、図５に示すように、十数％以内の勾配の傾斜地に対しても適用できる。また、上下の枠パイプ５、６と縦パイプ７との連結部分にはボルト・ナットなどの突起もなく外観が良い。
【００２０】
なお、上記例のパイプフェンス２においては、上下の枠パイプ５、６の角穴８に縦パイプ７の角パイプ１２を直に遊挿する場合を例に説明したが、本発明はこの例に限定されるものではなく、例えば図６に示す樹脂製スペーサ１９を枠パイプ５、６の角穴８内に嵌め入れ、この樹脂製スペーサ１９の角穴２０に縦パイプ７の角パイプ１２を遊挿するようにしても良い。この場合、樹脂製スペーサ１９を構成する短尺な角パイプ本体２１の一端には枠パイプ５、６の外表面形状に沿う形状のフランジ２２を設け、角パイプ本体２１には係止棒３を挿通する貫通孔２３を縦パイプ７の角パイプ１２に形成した係止棒３を挿通する貫通孔１３より小径に形成することが好ましい。なお、符号２４は抜け止め用の突起である。
【００２１】
また、上記例のパイプフェンス２においては、係止棒３に屈曲部１５を設け、この屈曲部を縦パイプ７の角パイプ１２の貫通孔１３に押し通すことによって、係止棒３の貫通孔１３からの抜け止めを図る場合を例としたが、本発明はこの例に限定されるものではなく、係止棒３が重量的にあるいは貫通孔１３との抗力などにより長手方向に移動がし難く抜けが懸念されない場合には屈曲部１５が無くてもよいし、抜けが懸念される場合には屈曲部１５に変えて樹脂やゴムなどの部材を取付けてもよい。
【００２２】
【発明の効果】
以上説明したように、本発明に係るパイプフェンスによれば、道路や公園などの平地はもとより傾斜地に対しても適用し得るとともに、上下の枠パイプと縦パイプとの連結部分にはボルト・ナットなどの突起もなく外観が良い。
【図面の簡単な説明】
【図１】本発明に係るパイプフェンスの説明図であって、ａは正面図、ｂはａの側面図、ｃはａのＡ部拡大断面図である。
【図２】本発明に係る上下の枠パイプの説明図であって、ａは全体図、ｂはａのＢ−Ｂ拡大断面図、ｃはａのＣ−Ｃ拡大断面図である。
【図３】本発明に係る縦パイプの説明図であって、ａは全体図、ｂはａのＤ−Ｄ断面図である。
【図４】本発明に係る係止棒の説明図であって、ａは正面図、ｂは上面図である。
【図５】本発明に係るパイプフェンスの別の施工形態を示す説明図である。
【図６】本発明に係る樹脂製スペーサの右半分断面示説明図であって、ａは正面図、ｂは側面図である。
【図７】従来のフェンスの説明図である。
【符号の説明】
１：支柱                ２：パイプフェンス      ３：係止棒
４：取付金具            ５：上枠パイプ          ６：下枠パイプ
７：縦パイプ            ８：角穴                ９：長孔
１０：ボルト            １１：本体部            １２：角パイプ
１３：貫通孔            １４：テーパ状の面取り  １５：屈曲部
１６：本体部            １７：挿入部            １８：ボルト
１９：樹脂製スペーサ    ２０：角穴              ２１：角パイプ本体
２２：フランジ          ２３：貫通孔            ２４：抜け止め用の突起
【図１】
2004360372.tif 000003
【図２】
2004360372.tif 000004
【図３】
2004360372.tif 000005
【図４】
2004360372.tif 000006
【図５】
2004360372.tif 000007
【図６】
2004360372.tif 000008
【図７】
2004360372.tif 000009